(57)【要約】【課題】雨水の浸入がなく、しかも、屋根裏の換気を確実に行うことのできる装置を提供する。【解決手段】階上側の外壁８の屋外側の下部に内外の通気室１１，１６を屋内外方向に重ね合わせて設ける。内側通気室１１の下部を、階下側の屋根１の上端と前記外壁８との間に設けた第一通気口９を介して前記屋根１直下に存する屋根裏１０に連通させ、上部を、内外通気室１１，１６の隔壁１７の上部側に屋内該方向に開口して設けた第二通気口１５を介して前記外側通気室１６に連通させる。そして、外側通気室１６を、前記第二通気口１５より上方側に、かつ、屋内側に位置する上側通気口１９と、前記第二通気口１５より下方側に、かつ、屋外側に位置する下側通気口２０を通じてそれぞれ屋外と連通させる。【選択図】    図１
2004169409.tif 000002
【特許請求の範囲】
【請求項１】
階下側の屋根の上端と階上側の外壁との間に、前記屋根の直下に存する屋根裏と屋外を連通する、雨水の浸入防止手段を施した通気口を設けた、屋根棟側壁際部装置。
【請求項２】
階上側の外壁の屋外側の下部に内外の通気室を屋内外方向に重ね合わせて設け、内側通気室の下部を、屋根の上端と前記外壁との間に設けた第一通気口を介して前記屋根直下に存する屋根裏に連通させると共に、該内側通気室の上部を、内外通気室の隔壁の上部側に屋内該方向に開口して設けた第二通気口を介して前記外側通気室に連通させ、該外側通気室は、前記第二通気口より上方側に、かつ、屋内側に位置する上側通気口と、前記第二通気口より下方側に、かつ、屋外側に位置する下側通気口を通じてそれぞれ屋外と連通させた、屋根棟側壁際部装置。
【発明の詳細な説明】
【０００１】
【産業上の利用分野】
本発明は下屋（二階建の場合は一階の屋根のように）の棟部と階上外壁（二階建の場合は二階の外壁）とが成す屋根棟側壁際部装置に関するものである。
【０００２】
【従来の技術】
階上外壁と屋根の棟側部（上端部）を被覆材で被覆し、所謂雨仕舞のための構成になっているのが一般である（例えば、特許文献１参照）。
【０００３】
【特許文献１】
特開平１１−２２９５６８号公報（第２頁乃至第３頁、図１および部２）
【０００４】
【発明が解決しようとする課題】
前記従来例で見られるように、屋根棟側壁部は、階下側の屋根と階上側の外壁の取合部であるため、雨水が浸入し勝ちで、従って、雨仕舞の点に考慮が払われ、シール性（雨水の浸入防止）が重要視された構造になっている。
【０００５】
しかしながら、階下側の屋根直下の屋根裏は、従来例のように被覆材によるシール性能が向上すればする程、日射により暖められ高温となり、屋根下地の合板等から水蒸気が発生し、木材等を腐食させたり、室内を暑くしたり等々の悪影響を及ぼす。
【０００６】
本発明は、従来と同様に雨水に対処でき、しかも、前記の悪影響を普く除去することのできる屋根棟側壁際部装置を提供することを目的として創案したものである。
【０００７】
【課題を解決するための手段】
階下側の屋根の上端と階上側の外壁との間に、前記屋根の直下に存する屋根裏と屋外を連通する、雨水の浸入防止手段を施した通気口を設けたことを基本的手段とし、具体的には、階上側の外壁の屋外側の下部に内外の通気室を屋内外方向に重ね合わせて設け、内側通気室の下部を、屋根の上端と前記外壁との間に設けた第一通気口を介して前記屋根直下に存する屋根裏に連通させると共に、該内側通気室の上部を、内外通気室の隔壁の上部側に屋内該方向に開口して設けた第二通気口を介して前記外側通気室に連通させ、該外側通気室は、前記第二通気口より上方側に、かつ、屋内側に位置する上側通気口と、前記第二通気口より下方側に、かつ、屋外側に位置する下側通気口を通じてそれぞれ屋外と連通させた構成とするのである。
【０００８】
【発明の実施の形態】
図面は本発明に係る屋根棟側壁際部装置の一実施形態を示す縦断面図である。
【０００９】
実施形態の屋根棟側壁際部装置は、階上側の外壁８の屋外側下部に内外の通気室１１，１６を屋内外方向に重ね合わせて設け、内側通気室１１の下部を、階下側の屋根１の上端（棟）と前記外壁８との間に設けた第一通気口９を介して前記屋根１直下の屋根裏１０と連通させ、内側通気室１１の上部を、内外通気室１１，１６を区画する隔壁１７の上部側に屋内外方向に開口して設けた第二通気口１５を介して前記外側通気室１６に連通させ、外側通気室１６は、前記第二通気口１５より上方側に、かつ、屋内側に位置する上側通気口１９と、前記第二通気口１５より下方側に、かつ、屋外側に位置する下側通気口２０を通じてそれぞれ屋外と連通させて構成したものである。
【００１０】
なお、外側通気室１６を請求項１でいう雨水の浸入防止手段としたとき、第二通気口１５、又は、第一、第二の通気口９，１５を備えた内側通気室１１全体を、屋根裏１０と屋外を連通する通気口と考えることができ、内外の通気室１１，１６を省略して第一通気口９の上方に実施形態以外の構成に係る雨水の浸入防止手段を施しても差し支えはない。
【００１１】
前記屋根１は図示省略した垂木で支持させた野地材２上に防水シート３と屋根材（化粧）４を順次積層して構成し、棟側上端（壁際上端）部においては雨押さえ材５を配して良好な雨仕舞が得られるようにしたものである。
【００１２】
雨押え材５は、前記屋根材４の上端部に載置して固着した笠木（屋根材４より一段高い位置に配することにより外壁８方向への風による雨の吹上量を低減させる）６を金属板（実施形態は鋼板で構成してある）７で被装して構成し、この雨押え材５の笠木６および前記屋根材４の上端面は前記野地材２の上端と同様に階上側の外壁８と間隙を存して配置され、野地材２と屋根材４との間から延長された前記防水シート３の上端部で被装され、前記間隙で構成する第一通気口９と隔絶し、前記金属板７を通じての雨水の浸入に対処するようにしてある。
【００１３】
第一通気口９は前記屋根１の直下（屋根１で構成する）の屋根裏１０の上端、棟側壁際部に位置して前記外壁８の屋外側下部に設けた前記内側通気室１１に前記屋根裏１０を連通させるものである。
【００１４】
内側通気室１１は、前記外壁８の屋外側に重ね合わせて柱に固定した通気横胴縁１２に前記防水シート３の上端部と雨押え材５を構成する前記金属板７の上端部を、前者を屋内側にして止着し、該胴縁１２より上方に突出する金属板７の上端部部分に、上部側を胴縁１３に釘着した第一通気室構成材１４の下部を重ね合わせて構成したものである。
【００１５】
内側通気室１１は、前記外壁８と防水シート３および第一通気室構成材１４で取り囲んだ空間域で構成し、下部側は前記の通り第一通気口９を介して屋根裏１０に連通し、上部側を前記第一通気室構成材１４に屋内外方向に開口して設けた前記第二通気口１５を介して外側通気室１６に連通させてある。
【００１６】
なお、前記通気横胴縁１２の長手（横）方向の適所にその屋外側面側にして縦溝を設け、該縦溝と前記外壁８で構成する縦孔を前記内側通気室１１の上部と下部の連通部２１としてある。
【００１７】
また、外側通気室１６は、前記内側通気室１１を介して前記外壁８下部に重ね合わせるようにして配したもので、内側通気室１１の、前記外壁８下部に相対して外壁を構成する部分（前記第一通気室構成材１６の下部およびこれに連続する金属板７の上端部と防水シート３の上端部が成す二重層部分とが成す部分）を、内側通気室１１との前記隔壁１７と成し（前記第二通気口１５は、この隔壁１７の垂直部の上部側部分を屋内外方向に開口して設けてあることにある）、内壁と成る該隔壁１７に相対するように第二通気室構成材１８を配して該構成材１８の上端部を前記第一通気室構成材１４に組付けて構成し、前記上下の通気口１９，２０を通じて外界と連通する一方、前記第二通気口１５を介して内側気室１１と連通させたものである。
【００１８】
第一、第二の通気室構成材１４，１８はアルミ押出形材で成り、第一通気室構成材１４の屋外側に向けた溝部１４ａと第二通気室構成材１８の屋内側に向けた溝部１８ａを互いに摺嵌して組合わせたもので、第一通気室構成材１４の垂直部片で構成する前記第二通気口１５と第二通気室構成材１８の水平部片で構成する上側通気口１９は、垂直部片又は水平部片に二次加工を施して複数個の開口部を設けて構成したものである。
【００１９】
上側通気口１９の直下に内側通気室１１の、屋外側を低くした傾斜上壁１１ａを設けてあるのは、上側通気口１９を通じての雨水を外側通気室１６および下側通気口２０を順次通じて外界（屋外）へ排出するためである。
【００２０】
なお、第二通気口１５は、外界の風圧が直接作用しない位置に配すべきで、そうすることによって風に伴って沫きとなっての雨水の浸入を防ぐことができる。
【００２１】
【発明の効果】
本発明は前記の通りの構成であるから、階下屋根裏の換気を確実に行うことができ、階層間の帯熱を防ぎ、帯熱による木材の劣化などの悪影響を未然に防ぐことのできる木造家屋を提供できる。
【図面の簡単な説明】
【図１】縦断面図。
【符号の説明】
１      屋根
８      外壁
９      第一通気口
１０    屋根裏
１１    内側通気室
１５    第二通気口
１６    外側通気室
１７    隔壁
１９    上側通気口
２０    下側通気口
【図１】
2004169409.tif 000003